(57)【要約】      （修正有）【課題】警備機器による警備を解除しないまま開閉部から警備領域へ入ることを阻止する。【解決手段】警備領域に出入りする開閉部に錠前Ｋを備えると共に、警備領域の警備機器による警備状態を警備解除中または警備中に切換える警備操作端末Ｔを警備領域の外に備えた機械警備設備において、錠前Ｋの鍵穴Ｈへの鍵の差し込みを阻止する差し込み阻止手段を具備させ、警備操作端末Ｔによる警備解除中は前記差し込み阻止手段を無効として鍵穴Ｈへの鍵の差し込みを可能とし、警備中は前記差し込み阻止手段を有効として鍵穴Ｈへの鍵の差し込みを不能とする鍵穴操作制御装置ＨＣを設けた。差し込み阻止手段は、鍵穴Ｈの前方で開閉制御される鍵穴カバーＦであり、筐体の内部に収容され、鍵の使用時には、本体カバー３の裏面に沿ってスライドすることにより開口５を開閉する。【選択図】図１
2010196370.tif 000002
【特許請求の範囲】
【請求項１】
警備領域に出入りする開閉部に錠前を備えると共に、警備領域の警備機器による警備を警備解除または警備に切換える警備操作端末を警備領域の外に備えた機械警備設備において、
前記錠前の鍵穴への鍵の差し込みを阻止する差し込み阻止手段を具備し、前記警備機器による警備の警備解除中は前記差し込み阻止手段を無効として鍵穴への鍵の差し込みを可能とし、前記警備機器による警備の警備中は前記差し込み阻止手段を有効として鍵穴への鍵の差し込みを不能とする鍵穴操作制御装置を設けたことを特徴とする機械警備設備。
【請求項２】
請求項１記載の機械警備設備において、
前記差し込み阻止手段は、前記鍵穴の前方で開閉制御される鍵穴カバーであることを特徴とする機械警備設備。
【発明の詳細な説明】
【技術分野】
【０００１】
本発明は、警備領域を警備機器によって警備する機械警備設備に関する。
【背景技術】
【０００２】
従来から、警備領域を開閉センサや侵入検知器などの警備機器によって警備する機械警備設備が種々提案され、また実施されてもいる（例えば、特許文献１参照）。
これら機械警備設備の実施形態は、概略つぎのようなものである。
【０００３】
すなわち、従来から実施されている機械警備設備の説明を簡単にするために、設置されている警備機器を開閉センサだけとして図示したのが、図４の設備全体の概略平面図である。オフィスのような警備領域Ａにおいて、窓Ｗや扉Ｄ等の賊の侵入が可能な開閉部には、その開閉状態をマグネットセンサ等により検出する複数の開閉センサＳが設けられている。これら開閉センサＳは、制御装置Ｃから伸びる警戒線路Ｌに直列に接続され、この警戒線路Ｌの開路によって窓Ｗあるいは扉Ｄが開かれていることを検出する構成となっている。制御装置Ｃはこれら開閉センサＳよって警備領域Ａ内に異常が検出されると、公衆回線網Ｎを介して警備会社の監視センターＳＣへ通報を行う。そして、このように警備機器による警備状態を警備解除あるいは警備に切換える警備操作端末Ｔが、図５の警備領域へ入出する開閉部としての扉Ｄの外部正面図に示すように、警備領域の外に備えられている。
【０００４】
通常、上記のように設置された機械警備設備による警備を警備あるいは警備解除とする設定は、つぎのようにして行われる。
すなわち、まず機械警備設備による警備を警備に設定するには、警備領域Ａから最後に退出する扉Ｄを残して、警備領域Ａの窓Ｗや扉等の賊の侵入が可能な開閉部を閉じて施錠し、その後、退出用に残して置いた扉Ｄより退出し、扉Ｄに備わる錠前Ｋに鍵を用いて施錠する。このようにすべての開閉部を施錠した後に、警備領域Ａの外に設けられた警備操作端末Ｔを用いて、警備機器による警備状態を警備解除から警備に切換える。切換えた結果、正常に警備に設定されると、警備操作端末Ｔに設けられた表示器に警備中の表示がなされる。しかし、切換え操作を行ったにも係わらず警備中の表示がされないときは、何処かの開閉センサＳが開閉部の開放を検出していて、未だ警戒線路Ｌが開路されていることを意味している。そこで、警備領域Ａ内のすべての開閉部が閉じられているか点検し、閉じられていなかった開閉部を施錠した後に、再度警備操作端末Ｔを用いて、警備機器による警備状態を警備解除から警備に切換える。
【０００５】
また、機械警備設備による警備を警備解除と設定して警備領域Ａに入るには、警備領域の外に設けられた警備操作端末Ｔを用いて、警備機器による警備状態を警備から警備解除に切換える。切換えた結果、警備解除に設定されると、警備操作端末Ｔに設けられた表示器に警備解除中の表示がなされる。この表示を確認後、入室用の扉Ｄに備わる錠前Ｋに鍵を用いて解錠し、入室する。この入室に際して、入室用の扉Ｄに設けられた開閉センサＳは開閉部の開放を検出するが、制御装置Ｃは警備解除に設定されているので、警備会社の監視センターＳＣへ通報を行うことはない。
【先行技術文献】
【特許文献】
【０００６】
【特許文献１】特開平６-５２４７６号公報
【発明の概要】
【発明が解決しようとする課題】
【０００７】
このような機械警備設備にあっては、上記のように警備機器による警備状態を警備解除あるいは警備の切換える操作を、順序正しく行っている限りは何ら問題は発生しないのであるが、実際は特に警備機器による警備状態を警備から警備解除に切換える操作時に、問題が多く発生している。
【０００８】
すなわち、警備操作端末Ｔを用いて、警備機器による警備状態を警備から警備解除に切換える操作を忘れて、入室用の扉Ｄに備わる錠前Ｋに鍵を用いて解錠し、入室してしまうことが多々発生している。このように警備解除することなく入出すると、入室用の扉Ｄに設置されている開閉センサＳが扉Ｄ開放を検出し、制御装置Ｃは直ちに公衆回線網Ｎを介して警備会社の監視センターＳＣへ通報を行ってしまう。すると、通報を受けた警備会社は、警備業法で定められた時間内に通報現場へ急行しなければならない。このような入室時の操作ミスによる警備会社の出動は、朝の出勤時間帯に集中し、大きな問題となっている。
【課題を解決するための手段】
【０００９】
請求項１記載の発明は、警備領域に出入りする開閉部に錠前を備えると共に、警備領域の警備機器による警備を警備解除または警備に切換える警備操作端末を警備領域の外に備えた機械警備設備において、錠前の鍵穴への鍵の差し込みを阻止する差し込み阻止手段を具備し、警備機器による警備の警備解除中は差し込み阻止手段を無効として鍵穴への鍵の差し込みを可能とし、警備機器による警備の警備中は差し込み阻止手段を有効として鍵穴への鍵の差し込みを不能とする鍵穴操作制御装置を設けた構成としている。
【００１０】
請求項２記載の発明は、請求項１記載の機械警備設備において、差し込み阻止手段は、鍵穴の前方で開閉制御される鍵穴カバーである構成としている。
【発明の効果】
【００１１】
本発明は、上記請求項１記載の構成によれば、錠前の鍵穴への鍵の差し込みを阻止する差し込み阻止手段を有する鍵穴操作制御装置を具備させ、警備機器による警備の警備中はこの差し込み阻止手段を有効として鍵穴への鍵の差し込みを不能としたので、警備操作端末Ｔを用いて警備機器による警備状態を警備から警備解除に切換える操作を行なわない限りは、入室用の扉Ｄに備わった錠前に鍵を用いて解錠することができない。よって、入室時の警備操作端末Ｔの警備解除の操作忘れによる警備会社の出動は、未然に防止することができる。
【００１２】
また、上記請求項２記載の構成によれば、鍵穴操作制御装置の差し込み阻止手段は、鍵穴の前方で開閉制御される鍵穴カバーとして鍵穴を警備設定中は隠すことができるで、上記効果と併せて、鍵穴に鍵以外の工具を差し込んで解錠しようとする不正行為、所謂ピッキング行為も排除できる。
【図面の簡単な説明】
【００１３】
【図１】本発明による機械警備設備の警備領域へ入出する扉の外部正面図である。
【図２】本発明による機械警備設備の警備領域へ入出する扉の外部正面図である。
【図３】本発明による差し込み阻止手段の一実施例における正面図および断面図である。
【図４】従来の機械警備設備の設備全体の概略平面図である。
【図５】従来の機械警備設備の警備領域へ入出する扉の外部正面図である。
【発明を実施するための形態】
【００１４】
つぎに、本発明の一実施例を図面を参照して説明する。本発明による機械警備設備においても、警備領域へ入出する開閉部としての扉に備わった錠前の前面を除いては、図４に示した従来の機械警備設備と外観として変わるところがない。そこで、以下の説明においては、従来の機械警備設備と相違する部分のみについて説明する。
【００１５】
図１は、本発明による機械警備設備の警備領域へ入出する開閉部としての扉Ｄの外部正面図である。扉Ｄには錠前Ｋが備わっており、この錠前Ｋを施解錠する鍵を差し込む鍵穴Ｈが引き手Ｂの近傍に設けられている。また、警備機器による警備状態を警備解除あるいは警備に切換え設定する警備操作端末Ｔが、扉Ｄ近傍の壁面等に設けられている。ここまでは、従来の機械警備設備の扉Ｄの外部正面と同一である。
【００１６】
本発明は、鍵穴Ｈへの鍵の差し込みを阻止する差し込み阻止手段を有する鍵穴操作制御装置ＨＣを設けている。この実施例においては、差し込み阻止手段は、鍵穴Ｈの前方で開閉制御される鍵穴カバーＦとしており、図３に鍵穴操作制御装置ＨＣのみの正面図（３ａ）および断面図（３ｂ）を示している。すなわち、差し込み阻止手段としての鍵穴カバーＦは、筐体１内に収納されている。鍵穴操作制御装置ＨＣの筐体１は、差し込み阻止手段を鍵穴Ｈの周囲の扉Ｄに取り付けるためのプレート２と、差し込み阻止手段を保護してプレート２に取り付けられる本体カバー３とからなっている。プレート２と本体カバー３の鍵穴前面に位置する箇所には、開口４，５が設けられており、これら開口４，５を通してのみ外部から鍵穴Ｈに鍵を差し込むことができるようになっている。
【００１７】
差し込み阻止手段としての鍵穴カバーＦは、この筐体１の内部に収納され、本体カバー３の裏面に沿ってスライドすることにより開口５を開閉する。この開閉する具体的な機構としては種々の機構が採用できるが、この実施例においては、電動モータとラック・アンド・ピニオンによって構成している。すなわち、電動モータ６はプレート２上に設けられ、制御装置Ｃからの動作信号によって駆動制御され、軸端に取り付けられたピニオン（円形歯車）７を順方向あるいは逆方向に回転させる。鍵穴カバーＦのピニオン７に面する側には、ラック８が設けられており、ピニオン７と噛み合っている。したがって、鍵穴カバーＦは、電動モータ６の回転につれて本体カバー１の裏面に沿ってスライドする。
【００１８】
なお、差し込み阻止手段は、この鍵穴カバーのほかに、鍵穴への鍵の差し込みを阻止する構成であればどのような構成も採用することができる。例えば、鍵穴の前面を横切ってスライドする棒の様なものであってもよい。
つぎに、本発明による機械警備設備による警備状態を警備あるいは警備解除とする設定は、つぎのようにして行われる。なお、ここでも図４の設備全体の概略平面図を用いて説明する。
【００１９】
すなわち、まず本発明による機械警備設備を警備に設定するには、警備領域Ａから最後に退出する扉Ｄを残して、警備領域Ａの窓Ｗや扉等の賊の侵入が可能な開閉部を閉じて施錠した後、退出用に残して置いた扉Ｄより退出する。この際、警備機器による警備状態は警備解除に設定されているため、図１に示すように、鍵穴カバーＦは本体カバー３の裏側に後退しおり、開口５は開放されている。そこで、扉Ｄに備わる錠前Ｋに鍵を差し込むことができ、鍵を用いて施錠する。
【００２０】
このようにすべての開閉部を施錠した後に、警備領域Ａの外に設けられた警備操作端末Ｔを用いて、警備機器による警備状態を警備解除から警備に切換える。切換えた結果、正常に警備に設定されると、電動モータ６は制御装置Ｃからの動作信号によって駆動制御され、図２に示すように、鍵穴カバーＦをスライドさせて開口５を閉鎖する。また、警備操作端末Ｔに設けられた表示器に警備中の表示がなされる。
なお、切換え操作を行ったにも係わらず警備中の表示がされないときは、何処かの開閉センサＳが開閉部の開放を検出していて、未だ警戒線路Ｌが開路されていることを意味しているので、警備領域Ａ内のすべての開閉部が閉じられているかを点検し、閉じられていない開閉部を施錠した後に、再度前記と同様に警備に設定する。
【００２１】
このように、図２に示すように、警備設定中は差し込み阻止手段としての鍵穴カバーＦは、鍵穴Ｈを隠すことができるで、鍵穴に工具を差し込んで解錠しようとする不正行為、所謂ピッキング行為を排除することができる。
【００２２】
つぎに、本発明による機械警備設備を警備解除と設定して警備設定中であった警備領域Ａに入るには、警備領域の外に設けられた警備操作端末Ｔを用いて、警備機器による警備状態を警備から警備解除に切換える。切換えた結果、警備解除に設定されると、警備操作端末Ｔに設けられた表示器に警備解除中の表示がなされ、また、電動モータ６は制御装置Ｃからの動作信号によって駆動制御され、警備設定中は鍵穴Ｈを隠していた差し込み阻止手段としての鍵穴カバーＦがスライドし、開口５を開放する。そして、この開口５を通して錠前Ｋに鍵を差し込み、解錠して入室する。この入室に際して、入室用の扉Ｄに設けられた開閉センサＳは開閉部の開放を検出するが、制御装置Ｃは既に警備解除に設定されているので、警備会社の監視センターＳＣへ通報を行うことはない。
【００２３】
このように、鍵穴への鍵の差し込みを阻止する差し込み阻止手段を具備させ、警備機器による警備の警備中はこの差し込み阻止手段を有効として、鍵穴への鍵の差し込みを不能としたので、警備操作端末Ｔを用いて警備機器による警備状態を警備から警備解除に切換える操作を行なわない限り、鍵を用いて入室用の扉Ｄの錠前を解錠することができない。よって、入室時の警備操作端末Ｔの警備解除の操作忘れによる警備会社の通報は、未然に防止することができる。
【産業上の利用可能性】
【００２４】
なお、上記本発明の実施例においては、鍵穴操作制御装置ＨＣを扉Ｄとは別体の筐体１からなる独立の装置とした。これは、既設の機械警備設備に追加の機能として提供することができるようにしたものであるが、デザイン的には障害となる。そこで、鍵穴操作制御装置ＨＣをはじめから扉Ｄに組み込んでおくと、デザイン的にはすっきりとしてものとなる。
【符号の説明】
【００２５】
Ａ                      警備領域
Ｄ                      扉
Ｋ                      錠前
Ｓ                      開閉センサ（警備機器）
Ｔ                      警備操作端末
Ｃ                      制御装置
Ｈ                      鍵穴
Ｆ                      鍵穴カバー（差し込み阻止手段）
ＨＣ                    鍵穴操作制御装置
５                      開口
【図１】
2010196370.tif 000003
【図２】
2010196370.tif 000004
【図３】
2010196370.tif 000005
【図４】
2010196370.tif 000006
【図５】
2010196370.tif 000007